(57)【要約】【課題】光学特性を維持しつつ光源ユニットを交換することができる光走査装置を提供する。【解決手段】  光源ユニットは、光源と、カップリングレンズと、ホルダとを有している。ホルダは、光源側基準部を有する腕部１４と、光源保持部と、嵌合部と、レンズ保持部とから構成されている。光学ハウジングの壁板には、嵌合部が挿入される開口と、光源側基準部と対向する位置決め基準面を有するストッパ２０が設けられている。そして、光源側基準部と位置決め基準面との間にシート状の調整部材２２を挿入しながら光源ユニットの回転調整が行われる。【選択図】図３１
2012141518.tif 000002
【特許請求の範囲】
【請求項１】
被走査面を複数の光束で主走査方向に走査する光走査装置であって、
複数の発光部、アーム及び嵌合部を有する光源ユニットと；
前記光源ユニットからの光束を偏向する光偏向器と；
前記光偏向器で偏向された光束を前記被走査面に導く走査光学系と；
前記嵌合部が挿入される開口部、及び前記アームが突き当てられ、前記光源ユニットの回転を制限するストッパを有する光学ハウジングと；を備える光走査装置。
【請求項２】
前記光源ユニットは、前記アームに設けられた光源側基準部を有し、
前記ストッパは、前記アームが突き当てられたときに前記光源側基準部に対向する位置決め基準部を有し、該位置決め基準部と前記光源側基準部との間に挿入された調整部材を有することを特徴とする請求項１に記載の光走査装置。
【請求項３】
前記調整部材は、少なくとも１枚のシート状部材であることを特徴とする請求項２に記載の光走査装置。
【請求項４】
前記シート状部材は、剛性体であることを特徴とする請求項３に記載の光走査装置。
【請求項５】
前記光源ユニットを前記光学ハウジングから取り外すと、前記調整部材は、前記ストッパに残留することを特徴とする請求項２〜４のいずれか一項に記載の光走査装置。
【請求項６】
前記位置決め基準部は、前記光源ユニットの設計上の回転姿勢に対して、回転過剰となる位置で前記光源側基準部が当接するように形成されていることを特徴とする請求項２〜５のいずれか一項に記載の光走査装置。
【請求項７】
前記光源ユニットは、前記アームに設けられた光源側基準部を有し、
前記ストッパは、前記光源側基準部との距離を調整することができるねじ部材を有することを特徴とする請求項１に記載の光走査装置。
【請求項８】
前記光源側基準部は、半球形状、角錐形状、及び円錐形状のいずれかであることを特徴とする請求項２〜７のいずれか一項に記載の光走査装置。
【請求項９】
前記光源ユニットの嵌合部は、外形が円柱状であり、
前記光学ハウジングの開口部は、円形の開口部であることを特徴とする請求項１〜８のいずれか一項に記載の光走査装置。
【請求項１０】
前記複数の発光部は、２次元的に配列されていることを特徴とする請求項１〜９のいずれか一項に記載の光走査装置。
【請求項１１】
少なくとも１つの像担持体と；
前記少なくとも１つの像担持体を画像データに応じて変調された光束により走査する請求項１〜１０のいずれか一項に記載の光走査装置と；を備える画像形成装置。
【請求項１２】
前記画像データは、多色のカラー画像データであることを特徴とする請求項８に記載の画像形成装置。
【請求項１３】
前記画像情報を含む種々の情報の通信をネットワークを介して外部機器と行う通信装置を、さらに備えることを特徴とする請求項１１又は１２に記載の画像形成装置。
【発明の詳細な説明】
【技術分野】
【０００１】
本発明は、光走査装置及び画像形成装置に係り、更に詳しくは、光束により被走査面を走査する光走査装置及び該光走査装置を備える画像形成装置に関する。
【背景技術】
【０００２】
電子写真の画像記録では、レーザ光を用いたプリンタやデジタル複写機などの画像形成装置が広く用いられている。この画像形成装置は光走査装置を備え、感光性を有するドラム（以下、「感光体ドラム」ともいう）の軸方向に光偏向器（例えば、ポリゴンミラー）を用いてレーザ光を走査しつつ、感光体ドラムを回転させ、感光体ドラムの表面（被走査面）に潜像を形成する方法が一般的である。
【０００３】
このような電子写真の分野では、画像品質を向上させるために画像の高密度化、及び操作性を向上させるために画像出力の高速化が画像形成装置に求められている。上記高密度化と高速化を両立させる方法の一つとして、複数の光で同時に走査するいわゆるマルチビーム化が考えられた。
【０００４】
但し、複数の光が感光体ドラムの表面に照射される際に、それらの副走査方向に関する間隔（ピッチ）が所望の間隔からずれていると、形成される画像の品質低下を招くおそれがあった。
【０００５】
例えば、特許文献１には、筐体とマルチビーム光源装置との間に挿入され、被走査面上の副走査方向のビームピッチを調整する板状の調整部材を備えるマルチビーム走査装置が開示されている。
【０００６】
また、特許文献２には、半導体レーザを保持する保持部材と半導体レーザからの光束を偏向する偏向器と、該偏向器により偏向された光束を所定面上に集光するレンズと、半導体レーザ保持部材と偏向器とレンズが取り付けられる光学箱を有し、光学箱には半導体レーザ保持部材の回動角度を規制する手段が取り付けられている走査光学装置が開示されている。
【０００７】
また、特許文献３には、複数個の半導体レーザと、複数のカップリングレンズと、ビーム合成手段とを保持するホルダとを有し、該ホルダは板状基部と棚状部とを有する一体構造で、棚状部に複数のカップリングレンズとビーム合成手段とを固設され、棚状部が、板状基部における棚状部幅方向の弾性変形を防止するようにしたマルチビーム走査装置の光源ユニットが開示されている。
【０００８】
また、特許文献４には、発光部とカップリングレンズは一つのベース部材の上に保持されていて、副走査方向において角度を調整するための角度調整機構が設けられている光走査用光源装置が開示されている。
【発明の概要】
【発明が解決しようとする課題】
【０００９】
従来、マルチビームに対応した光走査装置では、各部品の製造誤差や組付け誤差に起因するビームピッチのずれ、及び走査線曲がり／傾きを補正するため、光源ユニットを組付ける際に射出軸周りの回転調整を行っていた。
【００１０】
しかし、組付け調整は０．１ｍｍ以下の精度で行われているため、光源ユニットが故障し、該光源ユニットを取り外してしまうと、調整値が判らなくなり、客先で光源ユニットを交換した後に、正確に初期の組付け状態を再現することは困難であった。すなわち、光源ユニットの交換のみで所望の光学特性を維持するのは難しく、光走査装置ごと交換しなければならないという不都合があった。
【００１１】
本発明は、かかる事情の下になされたもので、その第１の目的は、光学特性を維持しつつ光源ユニットを交換することができる光走査装置を提供することにある。
【００１２】
また、本発明の第２の目的は、メンテナンス性に優れた画像形成装置を提供することにある。
【課題を解決するための手段】
【００１３】
本発明は、第１の観点からすると、被走査面を複数の光束で主走査方向に走査する光走査装置であって、複数の発光部、アーム及び嵌合部を有する光源ユニットと；前記光源ユニットからの光束を偏向する光偏向器と；前記光偏向器で偏向された光束を前記被走査面に導く走査光学系と；前記嵌合部が挿入される開口部、及び前記アームが突き当てられ、前記光源ユニットの回転を制限するストッパを有する光学ハウジングと；を備える光走査装置である。
【００１４】
これによれば、光学特性を維持しつつ光源ユニットを交換することができる。
【００１５】
本発明は、第２の観点からすると、少なくとも１つの像担持体と；前記少なくとも１つの像担持体を画像データに応じて変調された光束により走査する本発明の光走査装置と；を備える画像形成装置である。
【００１６】
これによれば、本発明の光走査装置を備えているため、結果として、メンテナンス性を向上させることができる。
【図面の簡単な説明】
【００１７】
【図１】本発明の一実施形態に係るカラープリンタの概略構成を説明するための図である。
【図２】図１における光走査装置を説明するための図（その１）である。
【図３】図１における光走査装置を説明するための図（その２）である。
【図４】図１における光走査装置を説明するための図（その３）である。
【図５】図１における光走査装置を説明するための図（その４）である。
【図６】光源に含まれる面発光レーザアレイを説明するための図である。
【図７】面発光レーザアレイにおける複数の発光部の配列を説明するための図である。
【図８】図８（Ａ）及び図８（Ｂ）は、それぞれ液晶偏向素子を説明するための図である。
【図９】光走査装置における主要な光学素子の位置関係を説明するための図である。
【図１０】図９における具体例を説明するための図である。
【図１１】第１走査レンズの光学面形状を説明するための図である。
【図１２】第２走査レンズの光学面形状を説明するための図である。
【図１３】図１３（Ａ）及び図１３（Ｂ）は、それぞれ第２走査レンズの形状を説明するための図である。
【図１４】第２走査レンズを保持する板金部材を説明するための図である。
【図１５】第２走査レンズが板金部材に保持されている状態を説明するための図である。
【図１６】板ばねを説明するための図である。
【図１７】図１５のＡ−Ａ断面図である
【図１８】第２走査レンズが装着された板金部材の光学ハウジングへの保持を説明するための図である。
【図１９】調整ねじの突出し量を調整するためのステッピングモータを説明するための図である。
【図２０】走査制御装置の構成を説明するためのブロック図である。
【図２１】図２１（Ａ）及び図２１（Ｂ）は、それぞれ光源ユニットを説明するための図である。
【図２２】光学ハウジングにおける光源ユニットが組み付けられる壁板を説明するための図である。
【図２３】光源ユニットの嵌合部が光学ハウジングの開口に挿入された状態を説明するための図である。
【図２４】光源ユニットの回動を説明するための図である。
【図２５】光源ユニットの回動による面発光レーザアレイにおける副走査発光部間隔の変化を説明するための図である。
【図２６】光学ハウジングのストッパを説明するための図である。
【図２７】光源ユニットの回転調整を説明するための図（その１）である。
【図２８】光源ユニットの回転調整を説明するための図（その２）である。
【図２９】光源ユニットの回転調整を説明するための図（その３）である。
【図３０】光源ユニットの回転調整を説明するための図（その４）である。
【図３１】光源ユニットの回転調整を説明するための図（その５）である。
【図３２】光源ユニットの回転調整を説明するための図（その６）である。
【図３３】図３３（Ａ）及び図３３（Ｂ）は、それぞれ光源側基準部の変形例を説明するための図である。
【図３４】光源ユニットの交換を説明するための図（その１）である。
【図３５】光源ユニットの交換を説明するための図（その２）である。
【図３６】光源ユニットの交換を説明するための図（その３）である。
【図３７】光源ユニットの交換を説明するための図（その４）である。
【図３８】図３８（Ａ）及び図３８（Ｂ）は、それぞれストッパの変形例を説明するための図である。
【発明を実施するための形態】
【００１８】
以下、本発明の一実施形態を図１〜図３７に基づいて説明する。図１には、一実施形態に係る画像形成装置としてのカラープリンタ２０００の概略構成が示されている。
【００１９】
このカラープリンタ２０００は、４色（ブラック、シアン、マゼンタ、イエロー）を重ね合わせてフルカラーの画像を形成するタンデム方式の多色カラープリンタであり、光走査装置２０１０、４つの感光体ドラム（２０３０ａ、２０３０ｂ、２０３０ｃ、２０３０ｄ）、４つのクリーニングユニット（２０３１ａ、２０３１ｂ、２０３１ｃ、２０３１ｄ）、４つの帯電装置（２０３２ａ、２０３２ｂ、２０３２ｃ、２０３２ｄ）、４つの現像ローラ（２０３３ａ、２０３３ｂ、２０３３ｃ、２０３３ｄ）、４つのトナーカートリッジ（２０３４ａ、２０３４ｂ、２０３４ｃ、２０３４ｄ）、転写ベルト２０４０、転写ローラ２０４２、定着装置２０５０、給紙コロ２０５４、レジストローラ対２０５６、排紙ローラ２０５８、給紙トレイ２０６０、排紙トレイ２０７０、通信制御装置２０８０、及び上記各部を統括的に制御するプリンタ制御装置２０９０などを備えている。
【００２０】
通信制御装置２０８０は、ネットワークなどを介した上位装置（例えばパソコン）との双方向の通信を制御する。
【００２１】
プリンタ制御装置２０９０は、ＣＰＵ、該ＣＰＵにて解読可能なコードで記述されたプログラム及び該プログラムを実行する際に用いられる各種データが格納されているＲＯＭ、作業用のメモリであるＲＡＭ、アナログデータをデジタルデータに変換するＡＤ変換回路などを有している。そして、プリンタ制御装置２０９０は、上位装置からの画像情報を光走査装置２０１０に送る。
【００２２】
感光体ドラム２０３０ａ、帯電装置２０３２ａ、現像ローラ２０３３ａ、トナーカートリッジ２０３４ａ、及びクリーニングユニット２０３１ａは、組として使用され、ブラックの画像を形成する画像形成ステーション（以下では、便宜上「Ｋステーション」ともいう）を構成する。
【００２３】
感光体ドラム２０３０ｂ、帯電装置２０３２ｂ、現像ローラ２０３３ｂ、トナーカートリッジ２０３４ｂ、及びクリーニングユニット２０３１ｂは、組として使用され、シアンの画像を形成する画像形成ステーション（以下では、便宜上「Ｃステーション」ともいう）を構成する。
【００２４】
感光体ドラム２０３０ｃ、帯電装置２０３２ｃ、現像ローラ２０３３ｃ、トナーカートリッジ２０３４ｃ、及びクリーニングユニット２０３１ｃは、組として使用され、マゼンタの画像を形成する画像形成ステーション（以下では、便宜上「Ｍステーション」ともいう）を構成する。
【００２５】
感光体ドラム２０３０ｄ、帯電装置２０３２ｄ、現像ローラ２０３３ｄ、トナーカートリッジ２０３４ｄ、及びクリーニングユニット２０３１ｄは、組として使用され、イエローの画像を形成する画像形成ステーション（以下では、便宜上「Ｙステーション」ともいう）を構成する。
【００２６】
各感光体ドラムはいずれも、その表面に感光層が形成されている。すなわち、各感光体ドラムの表面がそれぞれ被走査面である。なお、各感光体ドラムは、不図示の回転機構により、図１における面内で矢印方向に回転するものとする。
【００２７】
各帯電装置は、対応する感光体ドラムの表面をそれぞれ均一に帯電させる。
【００２８】
光走査装置２０１０は、上位装置からの多色の画像情報（ブラック画像情報、シアン画像情報、マゼンタ画像情報、イエロー画像情報）に基づいて、各色毎に変調された光束を、対応する帯電された感光体ドラムの表面にそれぞれ照射する。これにより、各感光体ドラムの表面では、光が照射された部分だけ電荷が消失し、画像情報に対応した潜像が各感光体ドラムの表面にそれぞれ形成される。ここで形成された潜像は、感光体ドラムの回転に伴って対応する現像ローラの方向に移動する。
【００２９】
トナーカートリッジ２０３４ａにはブラックトナーが格納されており、該トナーは現像ローラ２０３３ａに供給される。トナーカートリッジ２０３４ｂにはシアントナーが格納されており、該トナーは現像ローラ２０３３ｂに供給される。トナーカートリッジ２０３４ｃにはマゼンタトナーが格納されており、該トナーは現像ローラ２０３３ｃに供給される。トナーカートリッジ２０３４ｄにはイエロートナーが格納されており、該トナーは現像ローラ２０３３ｄに供給される。
【００３０】
各現像ローラは、回転に伴って、対応するトナーカートリッジからのトナーが、その表面に薄く均一に塗布される。そして、各現像ローラの表面のトナーは、対応する感光体ドラムの表面に接すると、該表面における光が照射された部分にだけ移行し、そこに付着する。すなわち、各現像ローラは、対応する感光体ドラムの表面に形成された潜像にトナーを付着させて顕像化させる。ここでトナーが付着した像（トナー画像）は、感光体ドラムの回転に伴って転写ベルト２０４０の方向に移動する。
【００３１】
イエロー、マゼンタ、シアン、ブラックの各トナー画像は、所定のタイミングで転写ベルト２０４０上に順次転写され、重ね合わされて多色のカラー画像が形成される。
【００３２】
給紙トレイ２０６０には記録紙が格納されている。この給紙トレイ２０６０の近傍には給紙コロ２０５４が配置されており、該給紙コロ２０５４は、記録紙を給紙トレイ２０６０から１枚ずつ取り出し、レジストローラ対２０５６に搬送する。該レジストローラ対２０５６は、所定のタイミングで記録紙を転写ベルト２０４０と転写ローラ２０４２との間隙に向けて送り出す。これにより、転写ベルト２０４０上のカラー画像が記録紙に転写される。ここで転写された記録紙は、定着装置２０５０に送られる。
【００３３】
定着装置２０５０では、熱と圧力とが記録紙に加えられ、これによってトナーが記録紙上に定着される。ここで定着された記録紙は、排紙ローラ２０５８を介して排紙トレイ２０７０に送られ、排紙トレイ２０７０上に順次積み重ねられる。
【００３４】
各クリーニングユニットは、対応する感光体ドラムの表面に残ったトナー（残留トナー）を除去する。残留トナーが除去された感光体ドラムの表面は、再度対応する帯電装置に対向する位置に戻る。
【００３５】
次に、前記光走査装置２０１０の構成について説明する。
【００３６】
光走査装置２０１０は、一例として図２〜図５に示されるように、２つの光源ユニット（２２００Ａ、２２００Ｂ）、２つの開口板（２２０２Ａ、２２０２Ｂ）、２つの光束分割部材（２２０３Ａ、２２０３Ｂ）、４つの液晶偏向素子（２２０５ａ、２２０５ｂ、２２０５ｃ、２２０５ｄ）、４つのシリンドリカルレンズ（２２０４ａ、２２０４ｂ、２２０４ｃ、２２０４ｄ）、ポリゴンミラー２１０４、４つの第１走査レンズ（２１０５ａ、２１０５ｂ、２１０５ｃ、２１０５ｄ）、８つの折り返しミラー（２１０６ａ、２１０６ｂ、２１０６ｃ、２１０６ｄ、２１０８ａ、２１０８ｂ、２１０８ｃ、２１０８ｄ）、４つの第２走査レンズ（２１０７ａ、２１０７ｂ、２１０７ｃ、２１０７ｄ）、４つの同期ミラー（２１１０ａ、２１１０ｂ、２１１０ｃ、２１１０ｄ）、４つの先端同期検知センサ（２１１１ａ、２１１１ｂ、２１１１ｃ、２１１１ｄ）、及び走査制御装置３０２２（図２〜図５では図示省略、図２０参照）などを備えている。そして、これらは、不図示の光学ハウジングに取り付けられている。
【００３７】
ここでは、ＸＹＺ３次元直交座標系において、各感光体ドラムの長手方向に沿った方向をＹ軸方向、４つの感光体ドラムの配列方向に沿った方向をＸ軸方向として説明する。
【００３８】
また、以下では、便宜上、主走査方向に対応する方向を「主走査対応方向」と略述し、副走査方向に対応する方向を「副走査対応方向」と略述する。
【００３９】
光源ユニット２２００Ａと光源ユニット２２００Ｂは、Ｘ軸方向に関して離れた位置に配置されている。
【００４０】
各光源ユニットは、光源及びカップリングレンズをそれぞれ有している。
【００４１】
各光源は、いずれも、一例として図６に示されるように、同一基板上に３２個の発光部が２次元的に配列されている面発光レーザアレイ１００を有している。
【００４２】
３２個の発光部は、図７に示されるように、すべての発光部を副走査対応方向に伸びる仮想線上に正射影したときの発光部間隔（以下では、「副走査発光部間隔」ともいう）が等間隔ｄ１となるように配置されている。なお、本明細書では、「発光部間隔」とは２つの発光部の中心間距離をいう。
【００４３】
また、各発光部は、発振波長が７８０ｎｍ帯である。
【００４４】
各カップリングレンズは、対応する光源から射出された光束の光路上に配置され、該光束を略平行光束とする。カップリングレンズを通過した光束が、各光源ユニットから射出される光束である。
【００４５】
開口板２２０２Ａは、開口部を有し、光源ユニット２２００Ａから射出された光束を整形する。開口板２２０２Ｂは、開口部を有し、光源ユニット２２００Ｂから射出された光束を整形する。
【００４６】
光束分割部材２２０３Ａは、開口板２２０２Ａの開口部を通過した光束の光路上に配置され、該光束を２つの光束に分割する。また、光束分割部材２２０３Ｂは、開口板２２０２Ｂの開口部を通過した光束の光路上に配置され、該光束を２つの光束に分割する。
【００４７】
各光束分割部材は、入射光束の半分を透過させ、残りを反射するハーフミラー面と、該ハーフミラー面で反射された光束の光路上にハーフミラー面に平行に配置された反射ミラー面とを有している。すなわち、各光束分割部材は、入射光束を互いに平行な２つの光束に分割する。
【００４８】
液晶偏向素子２２０５ａは、光束分割部材２２０３Ａからの２つの光束のうち−Ｚ側の光束の光路上に配置され、液晶偏向素子２２０５ｂは、光束分割部材２２０３Ａからの２つの光束のうち＋Ｚ側の光束の光路上に配置されている。
【００４９】
また、液晶偏向素子２２０５ｃは、光束分割部材２２０３Ｂからの２つの光束のうち＋Ｚ側の光束の光路上に配置され、液晶偏向素子２２０５ｄは、光束分割部材２２０３Ｂからの２つの光束のうち−Ｚ側の光束の光路上に配置されている。
【００５０】
各液晶偏向素子は、印加電圧に応じて、入射光をＺ軸方向に関して偏向することができる。各液晶偏向素子は、２枚の透明なガラス板の間に液晶が封入された構成であり、一例として図８（Ａ）に示されるように、一方のガラス板の表面の上下に電極が形成されている。この電極間に電位差が与えられると、一例として図８（Ｂ）に示されるように、Ｚ軸方向に関して電位の傾斜が発生し、それに応じて液晶の配向が変化し、その結果、Ｚ軸方向に関して屈折率の傾斜が発生する。これにより、プリズムと同様に光の射出軸をＺ軸方向に関してわずかに傾けることができる。なお、液晶としては誘電異方性を有するネマティック液晶等が用いられる。
【００５１】
シリンドリカルレンズ２２０４ａは、液晶偏向素子２２０５ａを介した光束の光路上に配置され、シリンドリカルレンズ２２０４ｂは、液晶偏向素子２２０５ｂを介した光束の光路上に配置されている。
【００５２】
シリンドリカルレンズ２２０４ｃは、液晶偏向素子２２０５ｃを介した光束の光路上に配置され、シリンドリカルレンズ２２０４ｄは、液晶偏向素子２２０５ｄを介した光束の光路上に配置されている。
【００５３】
各シリンドリカルレンズは、Ｚ軸方向に強いパワーを有し、ポリゴンミラー２１０４の偏向反射面近傍に主走査対応方向に長い線像を形成する。
【００５４】
光源とポリゴンミラー２１０４との間の光路上に配置される光学系は、偏向器前光学系とも呼ばれている。
【００５５】
ポリゴンミラー２１０４は、２段構造の４面鏡を有し、各鏡がそれぞれ偏向反射面となる。そして、１段目（下段）の４面鏡ではシリンドリカルレンズ２２０４ａからの光束及びシリンドリカルレンズ２２０４ｄからの光束がそれぞれ偏向され、２段目（上段）の４面鏡ではシリンドリカルレンズ２２０４ｂからの光束及びシリンドリカルレンズ２２０４ｃからの光束がそれぞれ偏向されるように配置されている。
【００５６】
なお、１段目の４面鏡及び２段目の４面鏡は、互いに位相が４５°ずれて回転し、書き込み走査は１段目と２段目とで交互に行われる。また、１段目の４面鏡と２段目の４面鏡との間には、溝が設けられており、風損を低減した形状となっている。各４面鏡の厚さは約２ｍｍである。
【００５７】
シリンドリカルレンズ２２０４ａ及びシリンドリカルレンズ２２０４ｂからの光束はポリゴンミラー２１０４の−Ｘ側に偏向され、シリンドリカルレンズ２２０４ｃ及びシリンドリカルレンズ２２０４ｄからの光束はポリゴンミラー２１０４の＋Ｘ側に偏向される。
【００５８】
第１走査レンズ２１０５ａ及び第１走査レンズ２１０５ｂは、ポリゴンミラー２１０４の−Ｘ側に配置され、第１走査レンズ２１０５ｃ及び第１走査レンズ２１０５ｄは、ポリゴンミラー２１０４の＋Ｘ側に配置されている。
【００５９】
そして、第１走査レンズ２１０５ａと第１走査レンズ２１０５ｂはＺ軸方向に積層され、第１走査レンズ２１０５ａは１段目の４面鏡に対向し、第１走査レンズ２１０５ｂは２段目の４面鏡に対向している。なお、第１走査レンズ２１０５ａと第１走査レンズ２１０５ｂは、一体成形されても良い。
【００６０】
また、第１走査レンズ２１０５ｃと第１走査レンズ２１０５ｄはＺ軸方向に積層され、第１走査レンズ２１０５ｃは２段目の４面鏡に対向し、第１走査レンズ２１０５ｄは１段目の４面鏡に対向している。なお、第１走査レンズ２１０５ｃと第１走査レンズ２１０５ｄは、一体成形されても良い。
【００６１】
そこで、ポリゴンミラー２１０４で偏向されたシリンドリカルレンズ２２０４ａからの光束は、第１走査レンズ２１０５ａ、折り返しミラー２１０６ａ、第２走査レンズ２１０７ａ、及び折り返しミラー２１０８ａを介して、感光体ドラム２０３０ａに照射され、光スポットが形成される。この光スポットは、ポリゴンミラー２１０４の回転に伴って感光体ドラム２０３０ａの長手方向に移動する。すなわち、感光体ドラム２０３０ａ上を走査する。このときの光スポットの移動方向が、感光体ドラム２０３０ａでの「主走査方向」であり、感光体ドラム２０３０ａの回転方向が、感光体ドラム２０３０ａでの「副走査方向」である。
【００６２】
また、ポリゴンミラー２１０４で偏向されたシリンドリカルレンズ２２０４ｂからの光束は、第１走査レンズ２１０５ｂ、折り返しミラー２１０６ｂ、第２走査レンズ２１０７ｂ、及び折り返しミラー２１０８ｂを介して、感光体ドラム２０３０ｂに照射され、光スポットが形成される。この光スポットは、ポリゴンミラー２１０４の回転に伴って感光体ドラム２０３０ｂの長手方向に移動する。すなわち、感光体ドラム２０３０ｂ上を走査する。このときの光スポットの移動方向が、感光体ドラム２０３０ｂでの「主走査方向」であり、感光体ドラム２０３０ｂの回転方向が、感光体ドラム２０３０ｂでの「副走査方向」である。
【００６３】
また、ポリゴンミラー２１０４で偏向されたシリンドリカルレンズ２２０４ｃからの光束は、第１走査レンズ２１０５ｃ、折り返しミラー２１０６ｃ、第２走査レンズ２１０７ｃ、及び折り返しミラー２１０８ｃを介して、感光体ドラム２０３０ｃに照射され、光スポットが形成される。この光スポットは、ポリゴンミラー２１０４の回転に伴って感光体ドラム２０３０ｃの長手方向に移動する。すなわち、感光体ドラム２０３０ｃ上を走査する。このときの光スポットの移動方向が、感光体ドラム２０３０ｃでの「主走査方向」であり、感光体ドラム２０３０ｃの回転方向が、感光体ドラム２０３０ｃでの「副走査方向」である。
【００６４】
また、ポリゴンミラー２１０４で偏向されたシリンドリカルレンズ２２０４ｄからの光束は、第１走査レンズ２１０５ｄ、折り返しミラー２１０６ｄ、第２走査レンズ２１０７ｄ、及び折り返しミラー２１０８ｄを介して、感光体ドラム２０３０ｄに照射され、光スポットが形成される。この光スポットは、ポリゴンミラー２１０４の回転に伴って感光体ドラム２０３０ｄの長手方向に移動する。すなわち、感光体ドラム２０３０ｄ上を走査する。このときの光スポットの移動方向が、感光体ドラム２０３０ｄでの「主走査方向」であり、感光体ドラム２０３０ｄの回転方向が、感光体ドラム２０３０ｄでの「副走査方向」である。
【００６５】
各折り返しミラーは、ポリゴンミラー２１０４から各感光体ドラムに至る各光路長が互いに一致するとともに、各感光体ドラムにおける光束の入射位置及び入射角がいずれも互いに等しくなるように、それぞれ配置されている。
【００６６】
また、シリンドリカルレンズとそれに対応する第２走査レンズとにより、偏向点とそれに対応する感光体ドラム表面とを副走査方向に共役関係とする面倒れ補正光学系が構成されている。
【００６７】
ポリゴンミラー２１０４と各感光体ドラムとの間の光路上に配置される光学系は、走査光学系とも呼ばれている。本実施形態では、第１走査レンズ２１０５ａと第２走査レンズ２１０７ａと折り返しミラー（２１０６ａ、２１０８ａ）とからＫステーションの走査光学系が構成されている。また、第１走査レンズ２１０５ｂと第２走査レンズ２１０７ｂと折り返しミラー（２１０６ｂ、２１０８ｂ）とからＣステーションの走査光学系が構成されている。そして、第１走査レンズ２１０５ｃと第２走査レンズ２１０７ｃと折り返しミラー（２１０６ｃ、２１０８ｃ）とからＭステーションの走査光学系が構成されている。さらに、第１走査レンズ２１０５ｄと第２走査レンズ２１０７ｄと折り返しミラー（２１０６ｄ、２１０８ｄ）とからＹステーションの走査光学系が構成されている。
【００６８】
ところで、各感光体ドラムにおける画像情報が書き込まれる主走査方向の走査領域は「有効走査領域」、「画像形成領域」、あるいは「有効画像領域」などと呼ばれている。
【００６９】
また、Ｋステーションにおける偏向器前光学系及び走査光学系の主な光学素子の位置関係が図９に示されている。そして、図９における符号ｄ１〜ｄ１１の具体的な値（単位：ｍｍ）の一例が図１０に示されている。なお、他のステーションでも同様な位置関係となっている。
【００７０】
また、シリンドリカルレンズ２２０４ａからの光束の射出方向と、ポリゴンミラー２１０４の偏向反射面により感光体ドラム２０３０ａの表面における像高０の位置（図９における符号ｐ０の位置）へ向けて反射される光束の進行方向とのなす角（図９におけるθｒ）は６０度である。
【００７１】
各第１走査レンズ及び各第２走査レンズは、いずれも樹脂製である。そして、それらの各面（入射側の面、射出側の面）は、次の（１）式及び次の（２）式で表現される非球面である。ここで、ＸはＸ軸方向の座標、ＹはＹ軸方向の座標を示す。また、入射面の中央をＹ＝０とする。Ｃｍ０はＹ＝０における主走査対応方向の曲率を示し、曲率半径Ｒｍの逆数である。ａ００，ａ０１，ａ０２，・・・は主走査対応方向の非球面係数である。また、Ｃｓ（Ｙ）はＹに関する副走査対応方向の曲率、Ｒｓ０は副走査対応方向の光軸上の曲率半径、ｂ００，ｂ０１，ｂ０２，・・・は副走査対応方向の非球面係数である。なお、光軸は、Ｙ＝０で副走査対応方向における中央の点を通る軸をいう。
【００７２】
【数１】
2012141518.tif 000003
【００７３】
【数２】
2012141518.tif 000004
【００７４】
各第１走査レンズの各面（入射側の面（第１面）、射出側の面（第２面））におけるＲｍ、Ｒｓ０及び各非球面係数の値の一例が図１１に示されている。
【００７５】
各第２走査レンズの各面（入射側の面（第３面）、射出側の面（第４面））におけるＲｍ、Ｒｓ０及び各非球面係数の値の一例が図１２に示されている。各第２走査レンズは、副走査対応方向に強いパワーを有している。
【００７６】
各第２走査レンズの形状が、一例として図１３（Ａ）及び該図１３（Ａ）のＡ−Ａ断面図である図１３（Ｂ）に示されている。なお、便宜上、各第２走査レンズにおける光束の入射方向を「Ｒ方向」、主走査対応方向を「Ｍ方向」、Ｒ方向及びＭ方向のいずれにも直交する方向を「Ｓ方向」とする。また、各第２走査レンズを区別する必要がないときは、総称して「第２走査レンズ２１０７」という。
【００７７】
第２走査レンズ２１０７には、−Ｓ側の面にリブ部３０６ａが形成され、＋Ｓ側の面にリブ部３０６ｂが形成されている。そして、リブ部３０６ａには、＋Ｒ方向に突出した３つの突起部（３０７ａ１、３０７ａ２、３０７ａ３）が形成されている。突起部３０７ａ２はＭ方向に関して中央に位置し、突起部３０７ａ１は突起部３０７ａ２の−Ｍ側に位置し、突起部３０７ａ３は突起部３０７ａ２の＋Ｍ側に位置している。
【００７８】
リブ部３０６ｂには、＋Ｒ方向に突出した３つの突起部（３０７ｂ１、３０７ｂ２、３０７ｂ３）が形成されている。突起部３０７ｂ２はＭ方向に関して中央に位置し、突起部３０７ｂ１は突起部３０７ｂ２の−Ｍ側に位置し、突起部３０７ｂ３は突起部３０７ｂ２の＋Ｍ側に位置している。
【００７９】
そして、突起部３０７ａ１は起部３０７ｂ１の−Ｓ側に位置し、突起部３０７ａ２は起部３０７ｂ２の−Ｓ側に位置し、突起部３０７ａ３は起部３０７ｂ３の−Ｓ側に位置している。
【００８０】
第２走査レンズ２１０７は、板金部材に保持されている。
【００８１】
第２走査レンズ２１０７が保持される板金部材３０１が、一例として図１４に示されている。この板金部材３０１は、板金加工で成形された板部材であり、Ｍ方向に平行な方向を長手方向とする底板３０１ａと、該底板３０１ａを挟んで対向する２枚の側板（３０１ｂ、３０１ｃ）とを有している。
【００８２】
側板３０１ｂには、第２走査レンズ２１０７の突起部が係合される３つの切欠部（３１１１、３１１２、３１１３）が形成されている。
【００８３】
底板３０１ａには、Ｍ方向の両端部近傍に、それぞれ開口部３１３を伴う立曲げ部３１０が形成されている。これらの立曲げ部３１０と第２走査レンズ２１０７とが接触する。
【００８４】
また、底板３０１ａには、側板３０１ｂの各切欠部に対応して３つのねじ穴３１２が形成されている。各ねじ穴３１２は、第２走査レンズ２１０７が保持されたときに、Ｒ方向に関して、第２走査レンズ２１０７のほぼ中央の位置に対応した各位置に形成されている。
【００８５】
さらに、Ｍ方向に関して、底板３０１ａの一方の端部には突起部３１８が形成され、他方の端部には切欠部３２１が形成されている。
【００８６】
また、側板３０１ｂには、底板３０１ａの各開口部３１３に対応して２つのスリット３１４が形成されている。
【００８７】
第２走査レンズ２１０７は、一例として図１５に示されるように、３つの第１板ばね３０２と２つの第２板ばね３０３によって、板金部材３０１に保持される。なお、図１５では、わかりやすくするため、各側板の図示を省略している。
【００８８】
第２板ばね３０３は、クリップ状の板ばねであり、第２走査レンズ２１０７の−Ｓ側の端面に＋Ｓ方向の押圧を作用させ、板金部材３０１の底板３０１ａの＋Ｓ側の面に−Ｓ方向の押圧を作用させることによって、第２走査レンズ２１０７と板金部材３０１を挟むようになっている。なお、第２板ばね３０３の＋Ｓ側の板部は、外側から開口部３１３を通過して、スリット３１４に挿入される。
【００８９】
第１板ばね３０２は、第２走査レンズ２１０７のリブ部３０６ａと板金部材３０１を挟むのに用いられる。ここでは、第１板ばね３０２は、図１６に示されるように、底板部３０２１と、＋Ｒ側の側板部３０２２と、−Ｒ側の側板部３０２３と、該側板部３０２３の端部から＋Ｒ方向に延びる上板部３０２４とからなっている。また、側板部３０２２には、開口部が形成されている。さらに、底板部３０２１には、調節ねじ３０８が貫通する円形の開口部３０２５が形成されている。
【００９０】
そして、図１５のＡ−Ａ断面図である図１７に示されるように、側板部３０２２の開口部にリブ部３０６ａの突起部が係合され、上板部３０２４によって−Ｒ側のリブ部３０６ａに＋Ｓ方向の押圧が作用される。
【００９１】
また、板金部材３０１の各ねじ穴３１２には、第１板ばね３０２の開口部３０２５を介して調節ねじ３０８が螺合される。この調節ねじ３０８の−Ｓ側の先端は、第２走査レンズ２１０７の＋Ｓ側の端面に当接されている。そこで、調節ねじ３０８をねじ込むことによって第２走査レンズ２１０７に−Ｓ方向の押圧を作用させることができる。
【００９２】
この場合、第２走査レンズ２１０７に作用する調節ねじ３０８による押圧力と、第１板ばね３０２による押圧力は、互いに逆方向に作用するため、第２走査レンズ２１０７に作用する力の微調整が可能となる。
【００９３】
例えば、板金部材３０１の底板３０１ａからの調節ねじ３０８の突出し量を、立曲げ部３１０の高さよりも小さくすると、第２走査レンズ２１０７をその母線が上側に凸となるように反らすことができる。逆に、調節ねじ３０８の突出し量を、立曲げ部３１０の高さよりも大きくすると、第２走査レンズ２１０７をその母線が下側に凸となるように反らすことができる。従って、調節ねじ３０８の突出し量を調整することによって、第２走査レンズ２１０７の焦線がＳ方向に湾曲され、走査線の曲がりを補正することができる。各調節ねじ３０８による第２走査レンズ２１０７の調整における調整軸の方向は、第２走査レンズ２１０７の光軸方向に平行である。なお、中央部と立曲げ部３１０との間に配置されている調節ねじ３０８によって、Ｍ型やＷ型の曲がりについても補正が可能である。
【００９４】
第２走査レンズ２１０７が装着された板金部材３０１は、端部に形成された突起部３１８を光学ハウジングの保持部に設けられた位置決めガイド（不図示）に勘合して位置決めを行い、−Ｓ方向に付勢するように光学ハウジングの保持部に取り付けられた板ばね３２６を架橋して光学ハウジングに保持される。
【００９５】
また、第２走査レンズ２１０７には、一例として図１８に示されるように、第２走査レンズ２１０７をＲ方向に平行な軸回りに回動させるためのステッピングモータ３１５が設けられている。なお、ここでは、Ｋステーションを基準としているため、該Ｋステーションでは、第２走査レンズ２１０７ａを回動させるためのステッピングモータは設けられてなくても良い。
【００９６】
ステッピングモータ３１５は、シャフトの先端に形成された送りねじを可動筒３１６のねじ穴に螺合し、板金部材３０１の一端に形成された切欠部３２１と可動筒３１６の凹部とを勘合させることで、ステッピングモータ３１５の回転により副走査対応方向（ここでは、Ｓ方向に平行な方向）に変位可能としている。
【００９７】
また、第２走査レンズ２１０７の−Ｓ側には、支柱３２２が設けられている。この支柱３２２は、光学ハウジングの保持部に設けられた支持部３２０に載置され、板ばね（不図示）により支柱３２２に押し付けられている。これにより、ステッピングモータ３１５の正逆回転に追従して第２走査レンズ２１０７は光軸と直交する面内で、支持部３２０との当接点を傾き調整の支点として回動することができる。そして、それに伴って第２走査レンズ２１０７の母線が傾き、その結果、走査線が傾けられる。なお、支柱３２２を設けることなく、第２走査レンズ２１０７を、直接、光学ハウジングに設けられた支持部に載置し、板ばね等で保持する構成としても良い。
【００９８】
また、ここでは、図１９に示されるように、各調節ねじ３０８の突出し量を調整するためのステッピングモータ３１５Ａが設けられている。
【００９９】
Ｋステーションの走査光学系を通過した書き込み開始前の光束の一部は、同期ミラー２１１０ａを介して先端同期検知センサ２１１１ａで受光される。
【０１００】
Ｃステーションの走査光学系を通過した書き込み開始前の光束の一部は、同期ミラー２１１０ｂを介して先端同期検知センサ２１１１ｂで受光される。
【０１０１】
Ｍステーションの走査光学系を通過した書き込み開始前の光束の一部は、同期ミラー２１１０ｃを介して先端同期検知センサ２１１１ｃで受光される。
【０１０２】
Ｙステーションの走査光学系を通過した書き込み開始前の光束の一部は、同期ミラー２１１０ｄを介して先端同期検知センサ２１１１ｄで受光される。
【０１０３】
各先端同期検知センサは、受光光量に応じた信号を走査制御装置３０２２に出力する。なお、各先端同期検知センサの出力信号は、「先端同期信号」とも呼ばれている。
【０１０４】
走査制御装置３０２２は、一例として図２０に示されるように、ＣＰＵ３２１０、フラッシュメモリ３２１１、ＲＡＭ３２１２、液晶素子駆動回路３２１３、ＩＦ（インターフェース）３２１４、画素クロック生成回路３２１５、画像処理回路３２１６、書込制御回路３２１９、光源駆動回路３２２１、モータ駆動回路３２２２などを有している。なお、図２０における矢印は、代表的な信号や情報の流れを示すものであり、各ブロックの接続関係の全てを表すものではない。
【０１０５】
画素クロック生成回路３２１５は、画素クロック信号を生成する。なお、画素クロック信号は、１／８クロックの分解能で位相変調が可能である。
【０１０６】
画像処理回路３２１６は、ＣＰＵ３２１０によって色毎にラスター展開された画像データに所定の中間調処理などを行った後、各光源の発光部毎のドットデータを作成する。
【０１０７】
書込制御回路３２１９は、ステーション毎に、先端同期信号に基づいて書き込み開始のタイミングを求める。そして、書き込み開始のタイミングに合わせて、各発光部のドットデータを画素クロック生成回路３２１５からの画素クロック信号に重畳させるとともに、発光部毎にそれぞれ独立した変調データを生成する。
【０１０８】
光源駆動回路３２２１は、書込制御回路３２１９からの各変調データに応じて、各光源ユニットに各発光部の駆動信号を出力する。
【０１０９】
モータ駆動回路３２２２は、ＣＰＵ３２１０の指示に基づいて、各第２走査レンズの形状を微調整するためのステッピングモータ３１５Ａ、及び各第２走査レンズを回動させるためのステッピングモータ３１５の駆動信号を出力する。
【０１１０】
液晶素子駆動回路３２１３は、ＣＰＵ３２１０で決定された印加電圧を各液晶偏向素子に印加する。
【０１１１】
ＩＦ（インターフェース）３２１４は、プリンタ制御装置２０９０との双方向の通信を制御する通信インターフェースである。上位装置からの画像データは、ＩＦ（インターフェース）３２１４を介して供給される。
【０１１２】
フラッシュメモリ３２１１には、ＣＰＵ３２１０にて解読可能なコードで記述された各種プログラム、及びプログラムの実行に必要な各種データが格納されている。
【０１１３】
ＲＡＭ３２１２は、作業用のメモリである。
【０１１４】
ＣＰＵ３２１０は、フラッシュメモリ３２１１に格納されているプログラムに従って動作し、光走査装置２０１０の全体を制御する。
【０１１５】
例えば、ＣＰＵ３２１０は、装置の立ち上げ時やジョブ間等のタイミングで、トナー画像の位置ずれ検出処理を行う（例えば、特開２００８−２７６０１０号公報、特開２００５−２３８５８４号公報参照）。なお、１ジョブのプリント枚数が多い場合には、その間の温度変化によるずれを抑えるために、途中で割り込みをかけて位置ずれ検出処理が行われることもある。
【０１１６】
そして、ＣＰＵ３２１０は、位置ずれ検出処理の結果に基づいて、Ｋステーションを基準としたときの、他の３つのステーションにおける走査線の曲がりずれ、走査線の傾きずれ、及び副走査レジストずれを求める。
【０１１７】
そして、ＣＰＵ３２１０は、対応するステッピングモータ３１５Ａに対して、上記走査線の曲がりずれを補正するための駆動信号を生成し、モータ駆動回路３２２２に出力する。なお、走査線の曲がりずれの大きさとそれを補正するためのステッピングモータ３１５Ａの駆動量との関係は予め求められ、フラッシュメモリ３２１１に格納されている。
【０１１８】
また、ＣＰＵ３２１０は、対応するステッピングモータ３１５に対して、上記走査線の傾きずれを補正するための駆動信号を生成し、モータ駆動回路３２２２に出力する。なお、走査線の傾きずれの大きさとそれを補正するためのステッピングモータ３１５の駆動量との関係は予め求められ、フラッシュメモリ３２１１に格納されている。
【０１１９】
また、ＣＰＵ３２１０は、上記副走査レジストずれがほぼ０となるように、対応する液晶偏向素子の印加電圧を決定する。なお、副走査レジストずれの大きさと印加電圧との関係は予め求められ、フラッシュメモリ３２１１に格納されている。
【０１２０】
次に、前記光源ユニット２２００Ａ及び光源ユニット２２００Ｂについて説明する。光源ユニット２２００Ａと光源ユニット２２００Ｂは、同じ構成の光源ユニットである。そこで、光源ユニット２２００Ａと光源ユニット２２００Ｂを区別する必要がないときは、総称して「光源ユニット２２００」という。
【０１２１】
光源ユニット２２００は、一例として図２１（Ａ）及び図２１（Ｂ）に示されるように、光源と、カップリングレンズと、それらを保持するホルダ１０とを有している。ここでは、光源から射出される光束の進行方向を「ａ方向」とする。そして、ａ方向に直交する面内で互いに直交する２つの方向を「ｂ方向」、「ｃ方向」とする。
【０１２２】
ホルダ１０は、光源を保持する光源保持部１１と、光学ハウジングに嵌合される嵌合部１２と、カップリングレンズを保持するレンズ保持部１３と、光源保持部１１の一側面から延びた腕部１４とから一体的に構成されている。
【０１２３】
光源保持部１１は、外形が四角柱状で内部に光源からの光束の光路となる貫通孔がａ方向に形成されている。
【０１２４】
嵌合部１２は、光源保持部１１の＋ａ側の端面に固定され、外形が円柱状で内部に光源からの光束の光路となる貫通孔がａ方向に形成されている。
【０１２５】
レンズ保持部１３は、嵌合部１２の＋ａ側の端面に固定され、カップリングレンズの外形の一部に倣う曲面を有する湾曲した板状部材である。
【０１２６】
腕部１４は、光源保持部１１の−ｃ側の側面に固定され、−ｃ方向を長手方向とする棒状部材である。腕部１４の横断面の形状は四角形状である。
【０１２７】
腕部１４の−ｃ側の端部近傍で、＋ｂ側の側面には、光源側基準部１５として半球状の突起が設けられている。
【０１２８】
カップリングレンズは、レンズ保持部１３に接着固定されている。
【０１２９】
一例として図２２には、光学ハウジングにおける、光源ユニット２２００が組み付けられる壁板の一部が示されている。該壁板には、光源ユニット２２００の嵌合部１２が挿入される円形の開口が形成されている。
【０１３０】
なお、光源ユニット２２００の嵌合部１２及び光学ハウジングの開口は、光源ユニット２２００がａ方向に平行な軸まわりに回転可能であれば、上記形状でなくても良い。
【０１３１】
光源ユニット２２００の嵌合部１２が光学ハウジングの上記開口に挿入された状態（図２３参照）で、ａ方向に直交する面内で腕部１４に力を加えることにより、嵌合部１２の中心軸を回転中心として、ａ方向に直交する面内で光源ユニット２２００を回動させることができる（図２４参照）。
【０１３２】
光源は、ａ方向からみると、上記回転中心と、光源における複数の発光部の配列中心とが一致するように配置されている。
【０１３３】
そこで、ａ方向に直交する面内で光源ユニット２２００が回動すると、一例として図２５に示されるように、複数の発光部は、配列中心のまわりに移動し、副走査発光部間隔がｄ２（≠ｄ１）となる。それに伴って、感光体ドラム上での副走査方向に関する走査線間隔（「走査線ピッチ」ともいう）が変化する。
【０１３４】
図２２に戻り、光学ハウジングの壁板における光源ユニット側の面には、開口の−Ｚ側にストッパ２０が設けられている。該ストッパ２０には、光源側基準部１５と対向する位置決め基準面２１が形成されている。ここでは、一例として図２６に示されるように、ストッパ２０におけるＺ軸方向及びａ方向のいずれにも直交する方向の一側の面に溝が形成されており、該溝の底面が位置決め基準面２１である。この溝の深さは約１ｍｍである。
【０１３５】
次に、光源ユニットの回転調整について説明する。
【０１３６】
（１）図２７に示されるように、光源側基準部１５が位置決め基準面２１に当接された状態で、複数の発光部を点灯させ、副走査対応方向に関するいわゆるビームピッチ（以下では、「副走査ビームピッチ」と略述する）を計測する。
（２）計測されたビームピッチが所望のビームピッチよりも大きければ、位置決め基準面２１上にシート状の調整部材２２を１枚挿入する（図２８参照）。
【０１３７】
調整部材２２の厚さは、回転中心から位置決め基準面２１の中心までの距離と調整に必要な分解能とから決定される。本実施形態では回転中心から位置決め基準面２１の中心までの距離は５０ｍｍであり、調整部材２２の厚さを約２５μｍとした。この調整部材２２は、同じものが複数枚用意されている。
【０１３８】
調整部材２２は、剛性体であることが好ましく、その材質としては、樹脂製フィルム、アルミ箔、ステンレス鋼製の薄板、圧延材等を用いることができる。
（３）図２９に示されるように、光源側基準部１５が調整部材２２に当接された状態で、複数の発光部を点灯させ、副走査ビームピッチを計測する。
（４）計測されたビームピッチが所望のビームピッチよりも大きければ、ストッパ２０の調整部材２２上に、さらに調整部材２２を挿入する（図３０参照）。
（５）光源側基準部１５が最表面の調整部材２２に当接された状態で、複数の発光部を点灯させ、副走査ビームピッチを計測する。
（６）以降、計測されたビームピッチが所望のビームピッチになるまで、ストッパ２０に調整部材２２を挿入する（図３１参照）。すなわち、調整量に合わせて必要枚数の調整部材２２がストッパ２０に挿入される。
（７）計測されたビームピッチが所望のビームピッチになると、調整は終了し、一例として図３２に示されるように、板ばね２３により腕部１４をストッパ２０に押圧固定する。
（８）光源ユニットを、ネジや固定用のばね等により光学ハウジングに保持固定する。
【０１３９】
なお、位置決め基準面２１は、光源ユニットの設計上の組付け位置（設計上の組付け狙い位置）に対して、光源ユニットが回転過剰になるような位置に設定されている。言い換えると、調整部材２２を複数枚挿入して初めて組付け狙い位置になるように、あらかじめ所定のずらし量を考慮して位置決め基準面２１は設定されている。
【０１４０】
本実施形態では、上記ずらし量を最大でも０．３°程度（調整部材２２による調整量としては０．２６ｍｍ程度）として、位置決め基準面２１が設定されている。なお、部品の製造誤差が小さく、予め調整の狙い角度範囲が概略わかっている場合は、ずらし量をもっと小さくすることができる。
【０１４１】
これにより、光学ハウジング、及び光学ハウジングに取り付けられる各光学素子の製造誤差による光源ユニットの回転調整に方向が、時計回り及び反時計回りのいずれの方向になっても対応することが可能である。
【０１４２】
腕部１４に設けられている光源側基準部１５は、半球状の突起部に限定されるものではなく、一例として図３３（Ａ）に示されるように、円錐状や角錐状の突起部であっても良い。また、一例として図３３（Ｂ）に示されるように、光源側基準部１５は、平板状であっても良い。なお、光源側基準部１５は、位置決め基準面２１と略点接触する形状の方が組付け誤差を小さくすることができる。
【０１４３】
調整部材２２は、ストッパ２０の上記溝に落とし込まれる形で保持されても良いし、調整部材２２における光源側基準部１５が当接されない部分を、ネジ止めやばねによる押圧支持することによって、ストッパ２０に保持されても良い。
【０１４４】
ここで、回転調整された光源ユニット（「光源ユニットａ」という）を、別の光源ユニット（「光源ユニットｂ」という）に交換する場合について説明する。
【０１４５】
（１）光学ハウジングに対する光源ユニットａの保持固定を解除する。
（２）光源ユニットａの腕部１４のストッパ２０への押圧固定を解除する。
（３）光源ユニットａの光源側基準部１５をストッパ２０から遠ざける（図３４参照）。
（４）光源ユニットａの嵌合部１２を光学ハウジングの開口から引き抜き、光学ハウジングから分離する（図３５参照）。
（５）光源ユニットｂの嵌合部１２を、その光源側基準部１５がストッパ２０に接触しないように、光学ハウジングの開口に挿入する（図３６参照）。
（６）光源ユニットｂの光源側基準部１５を、ストッパ２０に保持されている調整部材２２に当接させる（図３７参照）。
（７）板ばね２３により、光源ユニットｂの腕部１４をストッパ２０に押圧固定する。
（８）光源ユニットｂを、ネジや固定用のばね等により光学ハウジングに保持固定する。
【０１４６】
この場合、光源ユニットｂでは、光源ユニットａにおける回転調整量が維持され、同一の組付け調整量のものが組み上がることとなる。
【０１４７】
すなわち、光源ユニットを交換する際に回転調整を行わなくても、最適な光学特性を保つことができ、画像品質は劣化しない。
【０１４８】
以上説明したように、本実施形態に係る光走査装置２０１０によると、２つの光源ユニット（２２００Ａ、２２００Ｂ）、２つの光束分割部材（２２０３Ａ、２２０３Ｂ）、光偏向器２１０４、４つの走査光学系、及び走査制御装置などを備えている。
【０１４９】
各光源ユニットは、光源と、カップリングレンズと、ホルダ１０とを有している。ホルダ１０は、光源側基準部１５を有する腕部１４と、光源保持部１１と、嵌合部１２と、レンズ保持部１３とから構成されている。
【０１５０】
光学ハウジングの壁板には、嵌合部１２が挿入される開口と、光源側基準部１５と対向する位置決め基準面２１を有するストッパ２０とが設けられている。
【０１５１】
そして、光源側基準部１５と位置決め基準面２１との間にシート状の調整部材２２を挿入しながら光源ユニットの回転調整が行われる。
【０１５２】
この場合は、光源ユニットを交換する際に回転調整を行わなくても、最適な光学特性を保つことができる。すなわち、光学特性を維持しつつ光源ユニットを交換することができる。
【０１５３】
そして、本実施形態に係るカラープリンタ２０００によると、光走査装置２０１０を備えているため、結果として、メンテナンス性を向上させることができる。
【０１５４】
なお、上記実施形態では、光源ユニットの回転調整が、光源側基準部１５と位置決め基準面２１との間にシート状の調整部材２２を挿入しながら行われる場合について説明したが、これに限定されるものではない。例えば、図３８（Ａ）及び図３８（Ｂ）に示されるように、ねじ部材２４の先端のストッパ２０からの突出量を調整しながら、光源ユニットの回転調整を行っても良い。
【０１５５】
また、上記実施形態において、各ステーションの走査光学系を通過した書き込み終了後の光束の一部を受光するための、同期ミラー及び後端同期検知センサをさらに備えても良い。
【０１５６】
この場合、ＣＰＵ３２１０は、ステーション毎に、先端同期検知センサの出力信号と後端同期検知センサの出力信号とから、先端同期検知センサと後端同期検知センサとの間を光束が走査するのに要した時間を求め、その時間に予め設定されている数のパルスが収まるように画素クロック信号の基準周波数を再設定することができる。
【０１５７】
また、上記実施形態では、トナー像が感光体ドラムから転写ベルトを介して記録紙に転写される場合について説明したが、これに限定されるものではなく、トナー像が記録紙に直接転写されても良い。
【０１５８】
また、上記実施形態では、画像形成装置としてカラープリンタ２０００の場合について説明したが、これに限定されるものではなく、例えば、光プロッタやデジタル複写装置であっても良い。また、モノクロ（単色）のプリンタであっても良い。
【０１５９】
また、像担持体として銀塩フィルムを用いた画像形成装置であっても良い。この場合には、光走査により銀塩フィルム上に潜像が形成され、この潜像は通常の銀塩写真プロセスにおける現像処理と同等の処理で可視化することができる。そして、通常の銀塩写真プロセスにおける焼付け処理と同等の処理で転写対象物としての印画紙に転写することができる。このような画像形成装置は光製版装置や、ＣＴスキャン画像等を描画する光描画装置として実施できる。
【０１６０】
また、像担持体としてビームスポットの熱エネルギにより発色する発色媒体（ポジの印画紙）を用いた画像形成装置であっても良い。この場合には、光走査により可視画像を直接、像担持体に形成することができる。
【０１６１】
要するに、上記光走査装置２０１０を備えた画像形成装置であれば、結果として、メンテナンス性を向上させることができる。
【産業上の利用可能性】
【０１６２】
以上説明したように、本発明の光走査装置によれば、光学特性を維持しつつ光源ユニットを交換するのに適している。また、本発明の画像形成装置によれば、メンテナンス性を向上させるのに適している。
【符号の説明】
【０１６３】
１０…ホルダ、１１…光源保持部、１２…嵌合部、１３…レンズ保持部、１４…腕部、１５…光源側基準部、２０…ストッパ、２１…位置決め基準面、２２…調整部材、２４…ねじ部材、１００…面発光レーザアレイ、２０００…カラープリンタ（画像形成装置）、２０１０…光走査装置、２０３０ａ〜２０３０ｄ…感光体ドラム（像担持体）、２０８０…通信制御装置（通信装置）、２１０４…ポリゴンミラー（光偏向器）、２１０５ａ〜２１０５ｄ…第１走査レンズ、２１０６ａ〜２１０６ｄ…折り返しミラー、２１０７ａ〜２１０７ｄ…第２走査レンズ、２１０８ａ〜２１０８ｄ……折り返しミラー、２１１１ａ〜２１１１ｄ…先端同期検知センサ、２２００Ａ，２２００Ｂ…光源ユニット、２２０３Ａ，２２０３Ｂ…光束分割部材、２２０５ａ〜２２０５ｄ…液晶偏向素子。
【先行技術文献】
【特許文献】
【０１６４】
【特許文献１】特許第４３５５１９１号公報
【特許文献２】特開２００５−２０１９４２号公報
【特許文献３】特許第３５４７５９５号公報
【特許文献４】特許第３４５５４８５号公報
【図１】
2012141518.tif 000005
【図２】
2012141518.tif 000006
【図３】
2012141518.tif 000007
【図４】
2012141518.tif 000008
【図５】
2012141518.tif 000009
【図６】
2012141518.tif 000010
【図７】
2012141518.tif 000011
【図８】
2012141518.tif 000012
【図９】
2012141518.tif 000013
【図１０】
2012141518.tif 000014
【図１１】
2012141518.tif 000015
【図１２】
2012141518.tif 000016
【図１３】
2012141518.tif 000017
【図１４】
2012141518.tif 000018
【図１５】
2012141518.tif 000019
【図１６】
2012141518.tif 000020
【図１７】
2012141518.tif 000021
【図１８】
2012141518.tif 000022
【図１９】
2012141518.tif 000023
【図２０】
2012141518.tif 000024
【図２１】
2012141518.tif 000025
【図２２】
2012141518.tif 000026
【図２３】
2012141518.tif 000027
【図２４】
2012141518.tif 000028
【図２５】
2012141518.tif 000029
【図２６】
2012141518.tif 000030
【図２７】
2012141518.tif 000031
【図２８】
2012141518.tif 000032
【図２９】
2012141518.tif 000033
【図３０】
2012141518.tif 000034
【図３１】
2012141518.tif 000035
【図３２】
2012141518.tif 000036
【図３３】
2012141518.tif 000037
【図３４】
2012141518.tif 000038
【図３５】
2012141518.tif 000039
【図３６】
2012141518.tif 000040
【図３７】
2012141518.tif 000041
【図３８】
2012141518.tif 000042